(57)【特許請求の範囲】
【請求項１】
エレベータシャフト内のアスベストを除去するアスベスト除去方法であって、
足場の下方に下方水平区画部材を設置し、前記足場の上方に上方水平区画部材を設置することにより、前記エレベータシャフト内の第１区画を作業場として他の区画から隔離する隔離工程と、
集塵機を稼働させることにより、前記作業場内の排気を行って、前記作業場の気圧を大気圧よりも低い負圧に設定する負圧設定工程と、
送風機と当該送風機に接続された配管を有する送風装置を、前記配管が設置された水平区画部材を貫通するように設置する送風装置設置工程と、
前記送風機が供給する空気の単位時間当たりの供給量が、前記集塵機が排気する空気の単位時間当たりの排気量よりも小さくなるよう制御しつつ、前記送風機により前記作業場に空気を供給する空気供給工程と、
前記作業場内において前記エレベータシャフト内のアスベストを除去する除去工程と、
前記足場を移動させる工程と、
移動した前記足場の下方に前記下方水平区画部材を設置し、移動した前記足場の上方に前記上方水平区画部材を設置することにより、前記エレベータシャフト内の前記第１区画とは異なる第２区画を他の作業場として他の区画から隔離する隔離工程と、
前記他の作業場に対して、前記負圧設定工程、前記送風装置設置工程、前記空気供給工程、前記除去工程を実行する工程と、
を備えることを特徴とするアスベスト除去方法。
【請求項２】
前記下方水平区画部材、及び、前記上方水平区画部材は、建物の各階間の境界に設けられることを特徴とする請求項１に記載のアスベスト除去方法。
【請求項３】
前記除去工程において、アスベスト除去作業は、前記作業場の上部から下部の順で実施されることを特徴とする請求項１又は２に記載のアスベスト除去方法。
【請求項４】
他の区画から隔離すべき区画が、前記エレベータシャフト内の最下部の区画である場合には、前記下方水平区画部材を設置しないことを特徴とする請求項１〜３のいずれか１項に記載のアスベスト除去方法。
【発明の詳細な説明】
【技術分野】
【０００１】
本発明は、付着物処理方法に関し、特に、鉛直方向に沿う長手方向を有する構造物が画成する長手空間において当該長手空間内にある物体の表面に付着している付着物に関わる処理（以下、「付着物関連処理」という）を行う付着物処理方法に関する。
【背景技術】
【０００２】
鉛直方向に沿う長手方向を有する構造物としては、エレベータシャフトがある。エレベータシャフトが画成する内部空間では、人や物を運搬するためのケージ（cage：乗りかご）が昇降移動する。
【０００３】
ケージ上やエレベータシャフトの壁面などに埃などが付着するのを防ぐために、エレベータシャフト内に、ダクト及び集塵機を設けて集塵することが行われている（例えば、特許文献１参照。）。特許文献１に記載の技術では、ダクトに複数の吸気口を設け、その複数の吸気口をエレベータシャフト内の上下方向に間隔をおいて配置している。これにより、集塵機は、ダクトが有する複数の吸気口を介して、エレベータシャフト内のあらゆる位置における空気を該空気に浮遊する埃などの粉塵と共に吸い込み、それを排気する際に、粉塵を捕集する（集塵）。この結果、エレベータシャフト内における粉塵量が少なくなる。
【先行技術文献】
【特許文献】
【０００４】
【特許文献１】特開平０７−２２８４４６号公報
【発明の概要】
【発明が解決しようとする課題】
【０００５】
しかしながら、上述した技術では、エレベータシャフト内における粉塵量を少なくすることはできるものの、エレベータシャフト内の清掃（付着物関連処理）がまったく不要となるわけではない。
【０００６】
ここで、清掃作業は、通常、エレベータシャフト内において高所から低所の順で行われる。この際に発生する埃などの粉塵は、清掃作業を行っている場所を中心にして飛散する。つまり、エレベータシャフト内において粉塵は局所的に発生する。しかし、上述した技術では、エレベータシャフト内のあらゆる位置に吸気口がある結果、集塵機の排気能力（単位時間当たりの換気回数）が各吸気口に分散された状態にあるので、集塵機は、清掃作業の際に局所的に発生した粉塵を効率よく捕集することができない。
【０００７】
なお、粉塵の局所的な発生は、清掃作業の際に限られて生じるものではなく、例えば、エレベータシャフト内の物体表面（天井面、壁面、エレベータのドア部分表面など）に付着しているアスベスト（石綿）などの有害物に対して措置（例えば除去）を施す際などにも生じる。
【０００８】
本発明の目的は、構造物が画成する長手空間内で付着物関連処理を行うための付着物処理方法を提供することにある。
【課題を解決するための手段】
【０００９】
本発明は、エレベータシャフト内のアスベストを除去するアスベスト除去方法であって、
足場の下方に下方水平区画部材を設置し、前記足場の上方に上方水平区画部材を設置することにより、前記エレベータシャフト内の第１区画を作業場として他の区画から隔離する隔離工程と、
集塵機を稼働させることにより、前記作業場内の排気を行って、前記作業場の気圧を大気圧よりも低い負圧に設定する負圧設定工程と、
送風機と当該送風機に接続された配管を有する送風装置を、前記配管が設置された水平区画部材を貫通するように設置する送風装置設置工程と、
前記送風機が供給する空気の単位時間当たりの供給量が、前記集塵機が排気する空気の単位時間当たりの排気量よりも小さくなるよう制御しつつ、前記送風機により前記作業場に空気を供給する空気供給工程と、
前記作業場内において前記エレベータシャフト内のアスベストを除去する除去工程と、
前記足場を移動させる工程と、
移動した前記足場の下方に前記下方水平区画部材を設置し、移動した前記足場の上方に前記上方水平区画部材を設置することにより、前記エレベータシャフト内の前記第１区画とは異なる第２区画を他の作業場として他の区画から隔離する隔離工程と、
前記他の作業場に対して、前記負圧設定工程、前記送風装置設置工程、前記空気供給工程、前記除去工程を実行する工程と、
を備えることを特徴とする。
前記下方水平区画部材、及び、前記上方水平区画部材は、建物の各階間の境界に設けられることとしてもよい。
前記除去工程において、アスベスト除去作業は、前記作業場の上部から下部の順で実施されることとしてもよい。
他の区画から隔離すべき区画が、前記エレベータシャフト内の最下部の区画である場合には、前記下方水平区画部材を設置しないこととしてもよい。
【発明の効果】
【００１０】
本発明の付着物処理方法によれば、構造物が画成する長手空間において効果的にアスベストを除去することが可能となる。
【図面の簡単な説明】
【００１１】
【図１】本発明の第１の実施の形態に係る付着物処理装置としての清掃装置が設置された建物の概略的な構成を示す縦断面図である。
【図２】図１に示すダクトの部分拡大側面図である。
【図３】本発明の第２の実施の形態に係る付着物処理装置としてのアスベスト除去装置を用いたアスベスト除去作業の工程を示すフローチャートである。
【図４】図３のステップＳ２において養生されたある作業場を例示する縦断面図である。
【図５】図３のステップＳ２において養生された別の作業場を例示する縦断面図である。
【発明を実施するための形態】
【００１２】
以下、本発明の実施の形態について図面を参照しつつ説明する。以下に示す実施の形態（第１の実施の形態及び第２の実施の形態）では、エレベータシャフトが画成する長手空間において付着物関連処理（後述する清掃作業やアスベスト除去作業）が行われる。なお、エレベータシャフトは、鉛直方向に沿う長手方向を有する構造物の一例である。
【００１３】
図１は、第１の実施の形態に係る付着物処理装置としての清掃装置が設置された建物の概略的な構成を示す縦断面図である。
【００１４】
図１に示す建物１０は、１階部分〜５階部分を含む多層構造の建物であり、さらにエレベータ５０が設置されている。建物１０の各階は、エレベータホールとして機能する。なお、建物１０の１階部分の床面は、地上面１と同じ高さにある。
【００１５】
エレベータ５０は、人や物を運搬するためのケージ５１と、ケージ５１が鉛直方向に昇降移動するためのガイドを行うエレベータシャフト５２を備えている。ケージ５１は、建物１０の各階に停止可能である。エレベータシャフト５２は、鉛直方向に立設された構造物であり、鉛直方向に長い長手空間を画成している。その長手空間の底部にはピット（pit）５３が形成されている。ピット５３は、ケージ５１を地上面１よりも低い位置に収納するためのものである。
【００１６】
また、建物１０には、図１に示すように、中空部材であるダクト１１０と、排気機能及び集塵機能を有する集塵機１２０とが設置されている。ダクト１１０としては、例えば、フレキシブルダクト又はテレスコープ式ダクトを用いることができる。フレキシブルダクトは、可撓性及び気密性のある可撓性部材で囲んだ中空部材であり、可撓性があるので、例えば建物１０内のコーナー部等に沿って任意に曲げることができ、また、伸縮可能でもある。テレスコープ式ダクトは、長さ方向に段階的に伸縮可能に形成されている。このようなフレキシブルダクトやテレスコープ式ダクトを用いることにより、ダクト１１０を任意の大きさ、任意の形状の室内空間２０に設置することが容易となる。さらには、フレキシブルダクトやテレスコープ式ダクトを収縮状態にすることで、ダクト１１０の外形が占める体積が小さくなるため、持ち運びが容易となる。
【００１７】
ダクト１１０は、複数の吸気口と、１つの排気口１１９とを有する。ダクト１１０の排気口１１９は、集塵機１２０に接続される。ダクト１１０が有する複数の吸気口は、エレベータシャフト５２内においてエレベータシャフト５２の長手方向の上下に並んでいる。また、ダクト１１０の外側側面には、ダクト１１０の各吸気口を遮蔽可能な吸気選択ユニット（図１に示す符号１１１〜１１６）が設けられている。なお、ダクト１１０において、吸気選択ユニットを設ける部分は、フレキシブルダクトやテレスコープ式ダクトとは別の部材で構成することが好ましく、その部材として剛性のある筐体を用いることで吸気選択ユニットを容易に設けることができる。また、吸気選択ユニットを設ける筐体の形状を矩形にすることで、吸気選択ユニットが例えばエレベータシャフト５２の壁面５２ａに向かないように設置することが容易となる。
【００１８】
ダクト１１０は、複数の吸気選択ユニットが図１に示すように鉛直方向の上下に並ぶように設置されている。隣り合う２つの吸気選択ユニット間の間隔は、例えば、建物１０の各階の高さ方向の寸法に等しい。したがって、複数の吸気選択ユニットは、等間隔に並んでいる。このように間隔を設定することで、ダクト１１０をエレベータシャフト５２内に設置する際の吸気選択ユニットの位置決めを容易に行うことができる。なお、吸気選択ユニットの構成については、図２を用いて後述する。
【００１９】
集塵機１２０は、例えば、建物１０の１階部分に設置されており、稼働されると、図１に示す矢印Ａ方向に排気を行う（排気機能）。排気の際、集塵機１２０は、上記吸気選択ユニットが遮蔽していない吸気口を介して、エレベータシャフト５２内の空気を取り込み（矢印Ｂ参照）、取り込んだ空気を排気口１１９に向かって移動させることになる。また、集塵機１２０は、通気可能な程度にメッシュの細かい薄膜フィルタ（図示せず）を備えている。集塵機１２０は、エレベータシャフト５２内の空気吸い込む際、該空気に浮遊する埃などの粉塵も一緒に吸い込み、排気の際に、上記薄膜フィルタで粉塵を捕集する（集塵機能）。これにより、集塵機１２０の排気機能によって排気される空気は、除塵され、その結果、清浄化される。
【００２０】
上述したように、エレベータシャフト５２内には吸気口を有するダクト１１０が設置されているので、エレベータ５０の通常運転時や後述する清掃作業時に、ダクト１１０に接続されている集塵機１２０を稼働することにより、エレベータシャフト５２内の粉塵量を少なくすることができる。
【００２１】
図２は、図１に示すダクト１１０の部分拡大側面図である。上述したように、ダクト１１０の側面には複数の吸気選択ユニットが設けられている。図２の部分拡大図には、２つの吸気選択ユニット１１４，１１５が示されている。
【００２２】
図２において、吸気選択ユニット１１５は、ダクト１１０が有する複数の吸気口の１つである吸気口１１５ａに対応する位置に設けられている。吸気選択ユニット１１５は、吸気口１１５ａを遮蔽する遮蔽部材としての扉１１５ｂと、扉１１５ｂの開閉を制御するロック機構（図示せず）とを有する。他の吸気選択ユニットも、吸気選択ユニット１１５と同様に構成されており、例えば、吸気選択ユニット１１４は、対応する吸気口を遮蔽する遮蔽部材としての扉１１４ｂを有する。
【００２３】
また、図２に示す例では、２つの吸気選択ユニット１１４，１１５のうち、吸気選択ユニット１１５は、扉１１５ｂのロックが解放された状態（扉オープン状態）にある。これにより、吸気口１１５ａが開放され、ダクト１１０への空気の流入が許容される。したがって、吸気選択ユニットを扉オープン状態にすることで、対応する吸気口と排気口１１９とが連通し、これにより、ダクト１１０において、図１に示す矢印Ｂから矢印Ａに至るまでの排気経路が確保される。一方、吸気選択ユニット１１４は、扉１１４ｂがロックされた状態（扉クローズ状態）にあり、これにより、対応する吸気口が遮蔽される。
【００２４】
さらに、図２に示す例では、吸気口１１５ａに対応する位置においてフィルタ１１５ｃがダクト１１０に設置されている。フィルタ１１５ｃは、集塵機１２０が備える薄膜フィルタよりもメッシュが粗いフィルタであり、薄膜フィルタの目詰まりを起こしにくくするプレフィルタとして機能する。これにより、集塵機１２０が備える薄膜フィルタの交換頻度を抑えることができる。なお、フィルタ１１５ｃのようなフィルタは、吸気口１１５ａ以外の吸気口の各々に対応する位置にも設置されている。
【００２５】
図２を用いて説明したように、ダクト１１０には、吸気選択ユニット１１４，１１５が設けられているので、各吸気選択ユニットについて、扉オープン状態と扉クローズ状態の一方を選択することが可能であり、選択結果に応じて、対応する吸気口の遮蔽／開放が決まる。また、実際には、ダクト１１０に、複数（３つ以上）の吸気選択ユニットが設けられているので、遮蔽又は開口を選択可能な吸気口の数は２つに限られることはない。したがって、ダクト１１０は、吸気口の遮蔽又は開口を選択する際の自由度が高い。
【００２６】
ここで、エレベータ５０の通常運転時には、ダクト１１０が有する全ての吸気選択ユニットについて、扉オープン状態が選択される。このため、エレベータシャフト５２が有する全ての吸気口は、開放状態にあり、集塵機１２０は、全ての吸気口を介して空気を取り込むこと（吸気）が可能である。この状態にあるとき、集塵機１２０の排気機能は、全ての吸気口に分散されていることになる。
【００２７】
したがって、エレベータ５０の通常運転時に、集塵機１２０は、エレベータシャフト５２内のあらゆる箇所から、エレベータシャフト５２内に浮遊する粉塵を捕集することができる。ここで、粉塵は、エレベータ５０の通常運転時、ケージ５１の昇降移動や人の乗り降りに伴って発生するので、粉塵の発生箇所は特定されるものではない。このため、上述したようにあらゆる箇所から粉塵を捕集することで、エレベータシャフト５２内の粉塵量を効率的に少なくすることができる。
【００２８】
しかしながら、エレベータシャフト５２内の粉塵量が皆無になるわけではないので、発生した粉塵の一部は、エレベータシャフト５２内にある物体の表面（ケージ５１表面、天井面、壁面５２ａ、エレベータ５０のドア部分表面など）に付着する。そこで、エレベータシャフト５２内を清掃する清掃作業を定期的に行う必要がある。清掃作業では、エレベータシャフト５２内にある物体表面から、埃などの付着物を脱落させる作業が中心となる。したがって、清掃作業は、上記付着物関連処理の一例である。以下、清掃作業の手順などについて詳細に説明する。
【００２９】
清掃作業を行うために、まず、建物１０には、図１に示すように、清掃作業を行う際に用いる清掃装置１００が設置される。清掃装置１００は、垂直区画部材１４０と、空気を圧縮状態で噴射可能なエアブラストマシン１５０とを備えており、さらに、上記ダクト１１０と、上記集塵機１２０とを含んで構成されている。すなわち、本実施の形態では、清掃作業の際、既設のダクト及び集塵機を利用する。さらに言い換えると、既設のダクト及び集塵機は、清掃装置１００の一部をなすと云える。
【００３０】
具体的には、エアブラストマシン１５０をケージ５１の筐体上に載置し、垂直区画部材１４０を、建物１０の各階のエレベータホールにおいて垂直となるように設置する。ここで、垂直区画部材１４０は、気密性の高いシート状部材で構成されており、例えば、ＰＥＴ（polyethylene terephthalate）製のシートである。垂直区画部材１４０を設置することにより、エレベータホールが区切られる。これにより、建物１０内の空間から、エレベータシャフト５２側の空間が清掃作業場として隔離される。なお、各垂直区画部材１４０には、作業員が清掃作業場内に直接入ることができるように、開閉可能な扉（図示せず）が設けられている。
【００３１】
続いて、作業員は、１階のエレベータホールからケージ５１の筐体上に乗り込む。すなわち、ケージ５１の筐体を清掃作業用の足場とする。したがって、ケージ５１は、清掃装置１００の一部をなすと云える。そして、作業員は、ケージ５１を用いてエレベータシャフト５２内の最上部（高所）に移動する。この移動の際、作業員は、低所にある吸気選択ユニット（図１に示す例では、吸気選択ユニット１１１，１１２，１１３，…）を扉クローズ状態にし、高所（ケージ５１近傍）にある吸気選択ユニットは、扉オープン状態を維持する。なお、吸気選択ユニットの扉オープン状態又は扉クローズ状態の選択を遠隔操作によって行ってもよい。
【００３２】
続いて、作業員は、集塵機１２０の稼働中に、エアブラストマシン１５０を用いて清掃作業を開始する。具体的には、作業員は、エアブラストマシン１５０が噴射した圧縮状態の空気をエレベータシャフト５２にある物体に吹き付ける。この吹き付け時に生じた衝突エネルギーにより、エレベータシャフト５２内の物体に付着している埃などの付着物が物体表面から脱落する。
【００３３】
このように、エアブラストマシン１５０を用いると、エレベータシャフト５２側の空間内には、大量の埃などの粉塵が清掃作業を行っている場所を中心にして局所的に発生する。しかし、発生した粉塵は、吸気選択ユニットにより遮蔽されていない吸気口に設けられているフィルタや、集塵機１２０の薄膜フィルタによって捕集される。こうして、エレベータシャフト５２の最上部における清掃作業が完了する。なお、垂直区画部材１４０が設置されているので、粉塵がエレベータホールにまで飛散することはない。
【００３４】
エレベータシャフト５２の最上部での清掃作業が完了したら、最上部よりも下方に移動して、移動した位置、例えば、図１に示すケージ５１の位置で同様の清掃作業を行う。図１に示す例では、移動の際、作業員は、ケージ５１近傍の吸気選択ユニット１１６，１１５を扉オープン状態にすると共に、最上部での清掃作業時に扉オープン状態を維持した吸気選択ユニット（吸気選択ユニット１１６よりも上方の吸気選択ユニット）を扉クローズ状態にする。
【００３５】
そして、上述したような作業を繰り返し、最終的に、エレベータシャフト５２の最下部（ピット５３）での清掃作業を行う。なお、ピット５３での清掃作業はケージ５１を足場にすることはなく、ピット５３の底面５３ａ上で作業員が清掃作業を行う。このようにして、エレベータシャフト５２内での清掃作業を完了する。
【００３６】
上述したような清掃作業によれば、ケージ５１の位置（清掃位置）が変わっても、ケージ５１近傍にある吸気選択ユニットが扉オープン状態（吸気口開放状態）にあり、ケージ５１の近傍にない吸気選択ユニットが扉クローズ状態（吸気口遮蔽状態）になっている。このとき、集塵機１２０の排気機能は、開放状態にある吸気口にのみ集約されるので、集塵機１２０では、全ての吸気口が開放状態にある場合よりも、各吸気口を介した排気の排気効率が高まることになる。つまり、本実施の形態では、粉塵が発生しやすい清掃位置近傍の吸気口を介した排気の排気効率を高めることで、局所的に発生する粉塵を速やかに且つ効率的に捕集している。このため、粉塵が長時間に亘ってエレベータシャフト５２内に浮遊した状態で滞留することがなく、集塵機１２０による集塵効率が非常に高い。これにより、粉塵が、捕集されなかった結果エレベータシャフト５２内の物体に再付着することが抑制される。
【００３７】
なお、清掃作業が完了した後は、全ての吸気選択ユニットを扉オープン状態にすると共に、垂直区画部材１４０やエアブラストマシン１５０を撤去する。このようにすることで、エレベータ５０の通常運転時における粉塵の捕集を再開することが可能となる。
【００３８】
なお、上述した第１の実施の形態において、清掃作業の際に、ケージ５１を足場とするとしたが、ケージ５１に代わるゴンドラ（wall maintenance lift）を設置してそれを足場としてもよいし、ゴンドラを設置せずに、各階のエレベータホールから足場を組んでもよい。
【００３９】
また、上述した実施の形態では、清掃作業の際に、エアブラストマシン１５０を用いたが、エアブラストマシン１５０に代えて、粒状のドライアイスを噴射可能なドライアイスブラストマシンを用いてもよい。なお、ドライアイスブラストマシンを用いた場合、ドライアイス（固体）が昇華（気化）した結果二酸化炭素ガスが発生するので、清掃作業中は、ピット５３にある吸気選択ユニット１１１を常時扉オープン状態とすることが好ましい。二酸化炭素ガスは空気よりも比重が大きいために、エレベータシャフト５２の底部にあるピット５３に滞留しやすいからである。これにより、二酸化炭素ガスを速やかに且つ効率的に排気することができ、作業員の安全を確実に確保することができる。
【００４０】
さらに、上述した実施の形態では、清掃作業の際、既設のダクトを利用するとしたが、例えば、既設のダクトに吸気選択ユニットが設けられていない場合には、吸気選択ユニットが設けられる。また、清掃作業の際、既設のダクト及び集塵機を利用することに代えて、清掃作業専用のダクト及び集塵機を用意してもよい。
【００４１】
次に、本発明の第２の実施の形態について説明する。上述した第１の実施の形態では、エレベータシャフト５２内において清掃作業を行ったが、本実施の形態では、エレベータシャフト５２内においてアスベスト除去作業を行う。そのため、本実施の形態において建物や装置の構成及び構成要素が上述した第１の実施の形態のものと同一又は類似のものには同じ符号又は同様の符号を付し、それらの説明を省略する。
【００４２】
アスベスト除去作業では、エレベータシャフト５２内にある物体表面（天井面、壁面５２ａ、エレベータ５０のドア部分表面など）から、それらの物体に付着している有害物であるアスベストを剥離・脱落させる作業が中心となる。したがって、アスベスト除去作業は、上記付着物関連処理の一例である。アスベスト除去作業は、エレベータ５０が老朽化した結果、更新（replacement）を行う際に行われることが好ましい。更新の際、既設のケージ５１がエレベータシャフト５２内から撤去されるため、エレベータシャフト５２の壁面５２ａの全面が露出するからである。
【００４３】
図３は、第２の実施の形態に係る付着物処理装置としてのアスベスト除去装置を用いたアスベスト除去作業の工程を示すフローチャートである。
【００４４】
図３において、まず、第１工程（ステップＳ１：アスベスト除去装置設置工程）では、アスベスト除去作業を行う際に用いられるアスベスト除去装置１００’を建物１０においてエレベータシャフト５２内及びその近傍に設置する（図４参照）。
【００４５】
アスベスト除去装置１００’は、図４に示すように、アスベスト除去作業専用に用意されたダクト１１０’及び集塵機１２０’と、後述するドライアイスブラストマシン１６０とを備える。なお、ダクト１１０’の構成は、上述したダクト１１０と同様である。ただし、ダクト１１０’の鉛直方向に配置される部分の長さは、アスベスト除去作業の作業場の広さに応じて適宜選択することが可能であり、図４に示す例では、建物１０の４階分の高さ相当の長さである。集塵機１２０’は、上述した集塵機１２０と同様に構成されているが、集塵効率の高いＨＥＰＡフィルタ（high efficiency particle air filter）を備えている。また、集塵機１２０’は、作業場の換気を実現するために、作業場を負圧に設定できる程度の高さに排気能力が設定されている。
【００４６】
また、アスベスト除去装置１００’は、垂直区画部材１４０と、上方水平区画部材１４１と、下方水平区画部材１４２とを備える。さらに、アスベスト除去装置１００’は、送風装置１３０を備える。ここで、第１工程では、アスベスト除去装置１００’の構成要素のうち、水平区画部材１４１，１４２及び送風装置１３０以外の構成要素が設置される。
【００４７】
また、第１工程では、アスベスト除去装置１００’の付帯設備として、ゴンドラ２１０と、セキュリティゾーン２２０とが設置される。ゴンドラ２１０は、撤去されたケージ５１の代わりに設置される。ゴンドラ２１０は、アスベスト除去作業用の足場２１１と、足場２１１を上方から吊持するためのワイヤ２１２と、ワイヤ２１２を巻き取る巻き取り装置（図示せず）とで構成されている。足場２１１は、ケージ５１と同様に、エレベータシャフト５２内を昇降移動することが可能である。したがって、ゴンドラ２１０は、アスベスト除去装置１００’の使用を容易にするために設置されたものである。セキュリティゾーン２２０は、建物１０の１階部分に設置され、前室やエアシャワー室を含む。セキュリティゾーン２２０の前室は、作業員が作業場内へ入ったり作業場内から出たりするための出入口となる。したがって、セキュリティゾーン２２０は、アスベストを扱う作業員が作業場の外に出ることによるアスベストの外部への漏出を防止するために設置されたものである。
【００４８】
続いて、第２工程（ステップＳ２：作業場養生工程）では、アスベスト除去作業を行う作業場の養生（covering）を行う。ここで、養生とは、隔離密閉養生とも称され、作業場の周囲を、気密性の高いシート（例えば、ＰＥＴ製のシート）等で囲み覆うことで、作業場内部の空間を密封空間にして他の空間（作業場外部）から隔離することをいう。作業場を養生させることにより、作業場内のアスベストが外部へ漏出することが防止される。図４に示す例では、ゴンドラ２１０の足場２１１に乗り込んだ作業員が、足場２１１の下方に下方水平区画部材１４２を設置し、足場２１１の上方に上方水平区画部材１４１を設置することで、作業場の養生が完了する。図４に示すように、水平区画部材１４１，１４２の設置場所は、エレベータ５０のドア部分の開口を除く部分、つまり建物１０の各階間の境界である。
【００４９】
また、このとき、別の作業員は、送風装置１３０を設置する。送風装置１３０は、送風機１３１と、それに接続された配管１３２とから構成されており、送風機１３１は、上方水平区画部材１４１の上方、図４に示す例では建物１０の５階部分に設置され、配管１３２は、上方水平区画部材１４１を貫通するように設置される。
【００５０】
その後、第３工程（ステップＳ３：負圧設定工程）では、集塵機１２０’を稼働させることにより、作業場内の排気を行って、作業場の気圧を大気圧よりも低い負圧に設定する。また、送風装置１３０を稼働させることにより、図４に示す矢印Ｃ方向に空気が移動する。これにより、作業場内に新鮮な空気（酸素を含む気体）が供給される。これらにより、作業場の空気の入れ替え（換気）が達成されるので、作業員は容易に酸素を確保することができる。なお、送風装置１３０が供給する空気の単位時間当たりの供給量（供給体積）は、集塵機１２０’が排気する空気の単位時間当たりの排気量（供給体積）よりも小さくなるように制御される。これにより、作業場の内圧が低くなり過ぎない状態が維持され、且つ作業場に設定した負圧が維持される。このようにして、作業場の負圧を維持することで、アスベストを含む粉塵が排気経路以外に移動すること、つまり作業場外部へのアスベストの曝露を防止することができる。
【００５１】
そして、第４工程（ステップＳ４：アスベスト除去工程）では、アスベスト除去作業を行う。アスベスト除去作業は、養生された作業場の上部（高所）から下部（低所）の順で実施される。そこで、ゴンドラ２１０の足場２１１を高所に移動させて、足場２１１の近傍にある吸気選択ユニット（図４に示す例では、吸気選択ユニット１１５）を扉オープン状態にする。一方、他の吸気選択ユニットは扉クローズ状態にされる。なお、吸気選択ユニットの扉オープン状態又は扉クローズ状態の選択を遠隔操作によって行ってもよい。
【００５２】
続いて、作業員は、建物１０からアスベストを除去するために、エレベータシャフト５２内の物体（壁面５２ａなど）に付着しているアスベストに対して外力を作用させる。これにより、アスベストは物体表面などから剥離し脱落する。本実施の形態では、アスベストを脱落させるために、まず、へら・皮スキ・ブラシなどを用いて手作業を行う。続いて、作業員は、ドライアイスブラストマシン１６０を用いたドライアイスブラスト法を実施する。ドライアイスブラスト法とは、ドライアイスブラストマシン１６０が噴射した粒状のドライアイスを物体に吹き付け、この吹き付け時に生じた衝突エネルギーにより、物体に付着しているアスベストを物体表面から脱落させるものである。これらの作業によってもアスベストが脱落せずに残存する可能性がある場合には、さらに、アスベストに対して薬液を作用させて無害化させる作業なども行う。
【００５３】
ここで、エレベータシャフト５２内の物体から脱落したアスベストを含む粉塵は、作業場内に飛散するが、集塵機１２０’の集塵機能によって、捕集（回収）される。このとき、ゴンドラ２１０の足場２１１の近傍にある吸気口は吸気選択ユニットにより開放された状態にあるので、第１の実施の形態と同様に、集塵機１２０’の排気能力は開放された状態にある吸気口に集約されており、これにより、排気効率が高まるので、足場２１１近傍における集塵効率を向上させることができる。
【００５４】
アスベスト除去作業が進行し、作業場の下部におけるアスベスト除去作業が完了したら、下方水平区画部材１４２上に堆積しているアスベストなどを手作業等で回収し、一時保管する。
【００５５】
次に、アスベスト除去作業を行うべき別の区画があるか否かを判断する（ステップＳ５）。図４に示す例では、エレベータシャフト５２内において作業場（下方水平区画部材１４２）よりも下方に空間があるので、別の区画があると判断される。そして、別の区画がある場合には（ステップＳ５でＹＥＳ）、その区画において上述した第２工程〜第４工程を実施することで、アスベスト除去作業を行う。次の区画の養生は、図４に示す例の場合、まず、水平区画部材１４１，１４２を撤去し、続いて、図５に示すように、ゴンドラ２１０の足場２１１を下方に移動させて、新たに上方水平区画部材１４１’を設置することで、完了する。なお、図５に示す例では、エレベータシャフト５２の最下部の区画となるので、下方水平区画部材は不要である。
【００５６】
一方、別の区画がない場合、つまり、図５に示すようにエレベータシャフト５２のピット５３を含む作業場でのアスベスト除去作業が完了したときには（ステップＳ５でＮＯ）、アスベスト除去作業を完了する。なお、複数の区画（作業場）において回収され一時保管されていたアスベストは、最終処分場へ運搬される。また、アスベスト除去作業実施のために設置されたアスベスト除去装置１００’やその付帯設備は撤去される。
【００５７】
図３の処理によれば、作業場の養生を水平区画部材１４１，１４２などで行うので、鉛直方向に長い長手空間を分割することができる。これにより、集塵機１２０’の排気能力（単位時間当たりの換気回数）を高めることができ、さらに集塵機１２０’による粉塵の集塵効率が高まる。
【００５８】
また、養生された作業場内の空間内においてアスベスト除去作業が行われる際には、作業場内の足場２１１近傍の吸気口が開放状態にあり、且つ足場２１１の近傍にない吸気口（作業場外の吸気口を含む）は遮蔽状態にあるので、開放状態にある吸気口を介した排気の排気効率が高い。これにより、局所的に発生するアスベストを含む粉塵の集塵効率を向上させることができる。このことは、次の作業場内の空間内においてアスベスト除去作業が行われる際も同様に適用される。
【００５９】
また、集塵機１２０’は、作業場を負圧に設定できる程度に排気能力が高いので、アスベストを含む粉塵の捕集と共に、ドライアイスブラスト法の実施により発生した二酸化炭素ガスの排気を行うことが可能となる。
【００６０】
ところで、上記説明では、第４工程実施の際、足場２１１の近傍にある吸気選択ユニットを扉オープン状態にし、他の吸気選択ユニットを扉クローズ状態にするとしたが、アスベスト除去作業の際に上述したようにドライアイスを使用する場合には、さらに、作業場の下部にある吸気選択ユニットも扉オープン状態にすることが好ましい。これは、ドライアイスブラスト法の実施により発生した二酸化炭素ガスを効率的に排除するためである。このことについて、以下、詳細に説明する。
【００６１】
まず、第１工程においてダクト１１０’を設置する際、水平区画部材１４１，１４２などによる区画によってできた空間の下部になり得る位置に、吸気口及び対応する吸気選択ユニットを配置する。ここで、水平区画部材１４１，１４２などが設置される場所は、建物１０の各階間の境界であるから、吸気選択ユニットの位置は、水平区画部材の設置場所の上方側でその近傍、又はピット５３の底面５３ａ近傍となる。
【００６２】
そして、第２工程実施の際に、水平区画部材１４１，１４２を配置すると、下方水平区画部材１４２の上方の空間であって上方水平区画部材１４１の下方の空間（上方空間）の下部に、１つの吸気口及びそれに対応する吸気選択ユニット１１３が配置されることになる。また、下方水平区画部材１４２の下方の空間（下方空間）の下部（ピット５３の底面５３ａ近傍）にも１つの吸気口及びそれに対応する吸気選択ユニット１１１が配置されることになる。
【００６３】
その後、アスベスト除去作業としてドライアイスブラスト法を実施する前に、作業場下部に設置されている吸気選択ユニットを扉オープン状態にする。そして、アスベスト除去作業中（ドライアイス使用中）は、作業場下部の吸気口の開放状態を維持する。ここで、扉オープン状態にされる吸気選択ユニットは、図４に示す例では吸気選択ユニット１１３に該当し、図５に示す例では吸気選択ユニット１１１に該当する。なお、上述したように、アスベスト除去作業中では、足場２１１近傍の吸気選択ユニット（図４では吸気選択ユニット１１５，図５では吸気選択ユニット１１２）も扉オープン状態にされる。このため、作業場下部においてアスベスト除去作業を行う場合には、作業場下部の吸気選択ユニットと、足場２１１近傍の吸気選択ユニットとが一致する場合がある。
【００６４】
そして、ドライアイスブラスト法を実施すると、使用したドライアイス（固体）が昇華（気化）した結果、作業場内に大量の二酸化炭素ガスが発生する。発生した二酸化炭素ガスの一部は、足場２１１近傍の吸気口から排気される。しかし、二酸化炭素ガスは空気よりも比重が大きいため、二酸化炭素ガスは、作業場の下部に充満しようとする性質がある。したがって、足場２１１近傍の吸気口から排気されなかった残りの二酸化炭素ガスは、足場２１１近傍の吸気口よりも下方に移動する。ここで、上述したように、予め、作業場下部の吸気口を開放状態に維持することで、作業場の下部に充満しようとする二酸化炭素ガスを、その吸気口を介して排気することができる（図４，図５に示す矢印Ｂ’参照）。
【００６５】
このように、作業場内において、足場２１１近傍の吸気口を開放するだけでなく、作業場下部の吸気口も開放しておくことで、ドライアイス使用に際して発生した二酸化炭素ガスが作業場の下部に充満する前にそれを速やかに排気することができる。つまり、二酸化炭素ガスを効率的に排除することができる。
【００６６】
なお、アスベスト除去作業の際には、作業場の換気（作業場全体の空気の入れ替え）が１時間に４回以上行われることが法令等により義務付けられている。この換気により、二酸化炭素ガスの排気が十分に行われるようであれば、作業場下部の吸気選択ユニットを扉オープン状態にしなくてもよい。しかし、エレベータシャフト５２内でアスベスト除去作業を行う場合、特に水平区画部材を設置する場合、作業場が狭くなりがちであり、また、ピット５３では、二酸化炭素ガスを含む空気の滞留が生じやすい（気流が生じにくい）。このため、大量の二酸化炭素ガスが発生する場合には、作業員は、酸素欠乏という危険に曝されることになる。そこで、作業員の安全を確実に確保するためにも、上述したように、作業場下部の吸気選択ユニットを扉オープン状態にして、二酸化炭素ガスを速やかに且つ効率的に排気しておくことが好ましい。つまり、ドライアイス使用の際に作業場下部の吸気選択ユニットを扉オープン状態にして、二酸化炭素ガスを確実に排気することは、作業場が狭い場合や作業場下部において空気の滞留が生じやすい場合に有効であると云える。
【００６７】
なお、上述した第２の実施の形態において、アスベスト除去作業専用のダクト１１０’を用意したが、これに代えて、既存のダクトを用いてもよい。ただし、アスベストは有害であるため、アスベスト除去作業専用のダクト１１０’を用意することが好ましい。
【００６８】
また、上述した第２の実施の形態では、アスベスト除去作業として、手作業及びドライアイスブラスト法の実施によってアスベストを積極的に剥離・脱落させる例を説明した。このように、アスベストのような有害物を建物１０から積極的に除去することは、有害物に対する措置（付着物関連処理）としては、非常に効果がある。しかしながら、有害物を建物１０から積極的に除去することができないような状況においては、有害物に対する措置として、封じ込めや囲い込みを行ってもよい。封じ込めとは、薬液を壁面５２ａなどに向かって散布することにより、有害物の表面を薬液で被覆して有害物の脱落（飛散）を防止するための措置である。囲い込みとは、有害物が付着した壁面５２ａなどの全体、つまり有害物の周囲を別の部材で囲むことで、有害物が脱落したとしても飛散しないようにするための措置である。また、上記封じ込めや上記囲い込みは、有害物を積極的に除去した後に、残存の可能性がある有害物に対する措置として副次的に行ってもよい。なお、封じ込めや囲い込みの場合には、ドライアイスを使用しないので、作業場下部の吸気口を開放する必要はない。
【００６９】
第２の実施の形態において、主な除去対象は、アスベストであったが、アスベスト以外の有害物（例えば、ダイオキシン類や、放射性物質）であってもよい。また、除去対象は、有害物に限られることはなく、第１の実施の形態において説明したように、埃などであってもよい。
【００７０】
また、第２の実施の形態において、水平区画部材１４１，１４１’，１４２は、水平に設置されたが、完全に水平でなくてもよい。つまり、水平区画部材は、エレベータシャフト５２が画成する長手空間をその長手方向と交差する方向に仕切るものであればよい。これにより、作業空間を狭くして、集塵機１２０’の排気能力を高めることができる。
【００７１】
なお、上述した第１及び第２の実施の形態では、集塵機１２０，１２０’は、排気機能と集塵機能の双方を有するとしたが、排気機能だけを有する送風機（排気装置）であってもよい。この場合、ダクト１１０，１１０’などに集塵機能を実現するフィルタが設置される。
【００７２】
また、上述した第１及び第２の実施の形態では、鉛直方向に沿う長手方向を有する構造物として、エレベータシャフト５２を例示したが、これに限られることはない。このような構造物としては、ゴミ焼却施設の焼却炉、タワー式の立体駐車場なども例示される。このような構造物であれば、清掃作業や有害物除去作業などの処理を行う際に、高所から低所へと順次行われるのが一般的であるからである。
【００７３】
なお、本明細書及び添付図面には、次の事項も開示されている。
鉛直方向に沿う長手方向を有する構造物に設置される付着物処理装置であって、
第１吸気口及び第２吸気口並びに排気口を有するダクトと、
前記第１吸気口を遮蔽可能な第１遮蔽部材と、
前記第２吸気口を遮蔽可能な第２遮蔽部材と、
前記第１遮蔽部材又は前記第２遮蔽部材が開放している吸気口を介して空気を取り込み、取り込んだ前記空気を前記排気口に向かって移動させることで排気を行う排気装置と、
を備え、
前記ダクトは、前記第１吸気口及び第２吸気口が、前記構造物が画成する長手空間内において前記長手方向の上下に並ぶように、前記構造物に設置され、
前記付着物処理装置は、前記長手空間内にある物体の表面に付着している付着物に関わる処理を行う際に用いられる
ことを特徴とする付着物処理装置。
【００７４】
前記処理が行われる際に、前記第１吸気口は前記第１遮蔽部材により開放され、且つ前記第２吸気口は前記第２遮蔽部材により遮蔽されることとしてもよい。
【００７５】
前記長手空間を前記長手方向と交差する方向に仕切ることにより、前記第１遮蔽部材及び前記第１吸気口を含む上方空間と、前記上方空間よりも下方の下方空間であって前記第２遮蔽部材及び前記第２吸気口を含む下方空間とを区画する区画部材を備え、
前記上方空間内において前記処理が行われる際には、
前記第１吸気口は前記第１遮蔽部材により開放され、且つ前記第２吸気口は前記第２遮蔽部材により遮蔽され、
前記下方空間内において前記処理が行われる際には、
前記第２吸気口は前記第２遮蔽部材により開放され、且つ前記第１吸気口は前記第１遮蔽部材により遮蔽される
こととしてもよい。
【００７６】
前記第１吸気口は前記上方空間の下部にあり、
前記第２吸気口は前記下方空間の下部にあり、
前記付着物を前記物体の表面から脱落させるために、当該物体に粒状のドライアイスを吹き付け可能な吹き付け装置を備える、
こととしてもよい。
【００７７】
前記上方空間及び前記下方空間のうち、前記吹き付け装置が用いられる空間の上部から酸素を含む気体を供給する気体供給装置を備えることとしてもよい。
【００７８】
前記排気装置により排出される前記空気の除塵を行うフィルタを備えることとしてもよい。
【００７９】
前記ダクトは、前記第１吸気口及び前記第２吸気口とは別の第３吸気口を有し、
前記第３吸気口を遮蔽可能な第３遮蔽部材を備え、
前記排気装置は、前記第１遮蔽部材乃至前記第３遮蔽部材の少なくとも１つが開放している吸気口を介して空気を取り込む
こととしてもよい。
【００８０】
第１吸気口及び第２吸気口並びに排気口と、前記第１吸気口を遮蔽可能な第１遮蔽部材と、前記第２吸気口を遮蔽可能な第２遮蔽部材とを有するダクトを、
鉛直方向に沿う長手方向を有する構造物が画成する長手空間において、前記第１吸気口及び前記第２吸気口が前記長手方向の上下に並ぶように、設置する設置ステップと、
前記第１遮蔽部材又は前記第２遮蔽部材が開放している吸気口を介して空気を取り込み、取り込んだ前記空気を前記排気口に向かって移動させることで排気を行う排気ステップと、
前記排気ステップの実行中に、前記長手空間内にある物体の表面に付着している付着物に関わる付着物関連処理を前記長手空間内において行う処理ステップと、
を有することを特徴とする付着物処理方法。
【００８１】
前記付着物関連処理は、
前記付着物に外力を作用させることで当該付着物を前記物体の表面から脱落させて除去する除去処理と、
薬液を用いて前記付着物の封じ込めを行う封じ込め処理と、
前記付着物の周囲を囲む囲い込み処理と、
から成る処理群から選択された、少なくとも１つの処理であることとしてもよい。
【符号の説明】
【００８２】
１  地上面
１０  建物
５１  ケージ（乗りかご）
５２  エレベータシャフト
５２ａ  壁面
１００  清掃装置
１００’  アスベスト除去装置
１１０，１１０’  ダクト
１１１〜１１６  吸気選択ユニット
１１５ａ  吸気口
１１４ｂ，１１５ｂ  扉
１１９  排気口
１２０，１２０’  集塵機
１３０  送風装置
１４０  垂直区画部材
１４１，１４１’  上方水平区画部材
１４２  下方水平区画部材
１５０  エアブラストマシン
１６０  ドライアイスブラストマシン
２１０  ゴンドラ
【図１】
0005445653.tif 000002
【図２】
0005445653.tif 000003
【図３】
0005445653.tif 000004
【図４】
0005445653.tif 000005
【図５】
0005445653.tif 000006